(57)【要約】   本発明は縁無し眼鏡に関し、該眼鏡では、各レンズに鼻側で連結要素を一体的に備え、該連結要素を、該連結要素を収容し、鼻ブリッジを形成するブロック要素を用いて、互いに結合させて、２枚のレンズを連結する。顳かみ側で、各レンズは、アームをヒンジ結合させる智部を有する。眼鏡の智部及びアームには、これらを纏めて相互係合して、アームが不適当な力を受けた際に、ヒンジ部の完全な状態を保護する手段を有することができる。【選択図】図５
2009505150.tif 000002
【特許請求の範囲】
【請求項１】
２枚のレンズと、鼻ブリッジと、夫々の智部（ｔｅｍｐｌｅｔ）にヒンジ結合する２本のアームとを含む縁無し眼鏡であって、該眼鏡は、各レンズ（１０、１１）を、成形により製作し、該レンズには、鼻側から突出する一体連結要素（１４、１５；２４、２５；３２、３３；３５、３６）及び顳かみ側から突出する智部（２６）を有し、更に、片方のレンズの該連結要素を他方の該連結要素と、該連結要素を包囲し、鼻ブリッジを形成するブロック要素（１２、２７、３７）を用いて、相互係合させ、また該各智部を、アームを該智部と連結させるためにヒンジ軸を規定するよう設定すること、を特徴とする縁無し眼鏡。
【請求項２】
各レンズ（１０、１１）には、鼻側に連結用ラグ（１４、１５）、側面結合歯（１４’、１５’）を有し、鼻ブリッジ（１２）を規定する該要素には、その端部に、側開口部（１２”）を備える盲空洞部（１２’）を有し、前記鼻ブリッジ（１２）を規定する該要素には、その端部に、側面開口部（１２”）を備える盲空洞部（１２’）を有し、前記レンズのラグを、鼻ブリッジ（１２）の前記空洞部に挿入し、各結合歯を前記側開口部に係合させることにより、ブロック化すること、を特徴とする請求項１に記載の眼鏡。
【請求項３】
各レンズ（１０、１１）には、鼻側に、少なくとも１つの結合歯を有する連結要素（２４、２５）を含み、鼻ブリッジを規定するブロック要素（２７）には貫通空洞部（２７'）を有し、前記連結要素を、ブロック要素の前記貫通空洞部に挿入し包囲して、該ブロック要素に相補的に結合すること、を特徴とする請求項１に記載の眼鏡。
【請求項４】
各レンズ（１０、１１）には、鼻側で、他方のレンズの連結要素の端部と合致し、自動的に位置が合う成形端部を有する連結要素（３２、３３）を含み、鼻ブリッジを規定するブロック要素（２７）には貫通空洞部（２７'）を有し、前記連結要素を、ブロック要素（２７）の前記空洞部に挿入、収容して、合致させ、接着剤を用いて付着すること、を特徴とする請求項１に記載の眼鏡。
【請求項５】
各レンズ（１０、１１）には、鼻側で、片方に少なくとも１つの凹部を有する連結要素（３６、３７）を含み、ブロック要素（３７）には、両連結要素を前記ブロック要素に挿入し包囲すると、前記凹部又は切欠部と整列するスロットを有し、ブロック要素を歯を有する定着プレート（３８）と関連させ、該歯を前記スロットに通し、圧力及び／又は接着剤を用いて、前記凹部又は切欠部と機械的に係合させること、を特徴とする請求項１に記載の眼鏡。
【請求項６】
レンズの連結要素を、更なる横断方向の締着装置によって、鼻ブリッジを規定する前記ブロック要素に保持することができること、を特徴とする前請求項の何れかに記載の眼鏡。
【請求項７】
各レンズの顳かみ側から突出する智部を、強制嵌合させるヒンジピン（４０）によって関連するアームにヒンジ結合すること、を特徴とする前請求項の何れかに記載の眼鏡。
【請求項８】
各レンズの智部には、ヒンジ部を越えて延在させた延伸部（４１）を有して、アームの横方向支持部を形成し、前記延伸部及び前記アームの連続部分には、アームを展開した際に、該両部分を相互係合させ、前記延伸部で支止し、智部と一直線にする装置（４２、４３）を有すること、を特徴とする前請求項の何れかに記載の眼鏡。
【請求項９】
前記延伸部（４１）には、歯頭部（４２）を有し、アームの外側には、前記延伸部のヘッド部を受容するように作製した凹部（４３）を存在せしむること、を特徴とする請求項８に記載の眼鏡。
【請求項１０】
前記延伸部には、凹部を設け、アームの外側には、前記延伸部の凹部と係合するよう設けた歯頭部を有すること、を特徴とする請求項７に記載の眼鏡。
【請求項１１】
鼻ブリッジを規定するブロック要素及びアームを、レンズと同じ材料製とすること、を特徴とする前請求項の何れかに記載の眼鏡。
【請求項１２】
ブロック要素及びアームを、レンズを作製するのに用いる材料と異なる材料製及び／又は異なる色にすること、を特徴とする請求項１乃至１１の何れかに記載の眼鏡。
【発明の詳細な説明】
【技術分野】
【０００１】
本発明は、眼鏡分野に関し、特には、読書用、遠視用、更にゴーグル及びサングラス用の縁無し眼鏡又は所謂ツーポイント（ｇｌａｓａｎｔ）タイプの眼鏡に関する。
【背景技術】
【０００２】
眼鏡には、レンズに縁が有るものと無いものがある。特に、縁無し眼鏡は通常、レンズの端部を平坦に面取り研磨して、各レンズを顳かみ及び鼻柱の所で穿孔して後、レンズに穿孔した孔にネジ、ピン等を挿入し止めて、レンズを中央の鼻ブリッジ及び側方アームに連結し固定して、製作する。
【０００３】
しかしながら、こうした製造方法を使用すると、メガネの組立てが極めて面倒で、費用がかかり、その上、ネジ、ピン等がメガネの構造上の弱点となり、これらが常時レンズ内側に存在し、顳かみと鼻領域の２部分に陣取るため、それに応じて有効視野が限定されてしまう。
【発明の開示】
【０００４】
本発明の１目的は、一方では、縁無し眼鏡の構成に関する上記で批判した欠点を防ぐ条件を創出することであり、従ってレンズへの穿孔が不要で、縁無しであっても、視野を妨げもせず、限定もせず、着用者にとって最も快適な着け心地と安全性を保証する、メガネを提案する。
【０００５】
本発明の別の目的は、レンズをアームに連結する手段を設けたレンズを提供することであり、該手段を、有利には、市販されている高分子材料で、高い光学的特性及び機械的特性を有する該材料から成型することができるが、これは鼻側及び顳かみ側のレンズ端部から成る部分を、型に高分子材料を適当に供給して、作成可能にしたためである。
【０００６】
本発明の更なる目的は、簡単に直接機械的に、また不可逆的形状で、鼻ブリッジ、アーム等の相補的要素と、更なる機械加工も特別な機器も必要とせずに、結合するよう作製した眼鏡用レンズを提供することである。加えて、該鼻ブリッジ及びアームを、レンズを製作するのに使用したのと同じ材料で作製することができる。  
【０００７】
更に別の本発明の目的は、従って、製作が容易で、しっかりとした構造で、同種類の眼鏡と比較しても低価格な、縁無し眼鏡を提供することである。該眼鏡の組立てについては、眼科用又は保護レンズ、更に別のレンズでも、ユーザの視力欠陥や、眼鏡を形成する構成要素の材料、形状、色に関するユーザの要望に基づいて決定してしまえば、眼鏡屋が直接、手間を掛けずに組立てられる。
【０００８】
これらの目的及び該目的から生じる潜在的効果を、本発明によって、改良した縁無し眼鏡で、達成する。該眼鏡には、２枚のレンズと、鼻ブリッジと、２本のアームを含み、各レンズを成形で製作し、該レンズには、鼻柱側から突出する連結片、及び顳かみ側から突出する智部（ｔｅｍｐｌｅｔ）を有し、これら両方がレンズと一体化しており、片方のレンズの連結要素は、他方のレンズの連結要素と、該両連結要素を包囲し、鼻ブリッジを形成するブロック要素を用いて、相補的に嵌合し、各智部を、関連するアームのヒンジ部を受容するよう作製する。
【０００９】
各レンズの鼻側の連結要素を、異なる形状に成形できる。またブロック要素を提供して、該連結要素を簡単に包囲し、分離を防止でき、或は、他の固定装置と関連させてブロッキング機能を能動的に果たすことができる。
【００１０】
他方、各レンズの顳かみ側にある智部を、単に強制嵌合可能なピンを挿入するだけで、アームにヒンジ結合するよう作製する。
【００１１】
更に、別の革新的な態様によれば、各智部及び関連するアームを、該アームを展開して智部と一直線にすると、相補的に相互係合するよう成形する。その結果、確実に、智部とアームとの間のヒンジ点での、メガネの耐性が向上する。該ヒンジ点は、特にプラスチック製のメガネでは、薄くて最も弱い領域として知られている。
【００１２】
時には、紐や鎖をアームに連結して、メガネを使用しない時に、ユーザの首に架けることがある。しかしながら、この状態では、メガネに、故意でなくとも、応力や圧迫が掛かることがあり、そのためアームが屈曲及び折曲して、不適当な力が発生してそれがヒンジ部分に直接掛かり、アームが破損する危険性がある。
【００１３】
各智部をその関連するアームと相互係合させて結合する手段を、そうした危険性を除く目的で備える。該手段で、アームに掛かる可能性がある力が、ヒンジゾーンではなく、レンズに隣接する智部が存在する部分に掛かるようにする。この部分は通常、ピンが貫通するヒンジ部分より、かなり厚く、従ってより耐性がある。
【発明を実施するための最良の形態】
【００１４】
以下、本発明について、包含した例示的で、且つ非限定的な図面を参照して、より詳細に記述する。
【００１５】
図示の通り、メガネには、左右、２枚のレンズ１０、１１を備えており、これらを光学的要求に従って、類似な或は異なるものにできるが、該メガネを、鼻ブリッジ１２及び２本のアーム１３に対応して連結する２装置を備えて作製する。
【００１６】
レンズ１０、１１を、光学用高分子材料製で、任意の成形技術を使用可能なものとすることができ、そうすることで、有利には、要求する光学的パラメータや、レンズにアクセサリ部品を装着する可能性に従って、様々な厚さの、任意の形状をした仕上げレンズを製作可能となる。実際に、レンズをこの技術を使用して作製し、本発明に従い、各レンズには、鼻ブリッジとの連結部を形成する鼻側の連結要素と、アームとの連結部を形成する顳かみゾーンから突出する智部２６とを備え、両要素を成型中にレンズと一体化させて形成する。
【００１７】
別の製造方法によれば、及び図１ａ乃至図１ｃで示すように、各レンズの連結要素を、側部の連結歯１４'、１５'を有するラグ１４、１５から構成することができ、鼻ブリッジ１２には、その各端部に、側開口部１２”付盲空洞部１２’を有する。レンズのラグ１４、１５を、鼻ブリッジ１２の空洞部１２’に挿入し、該ラグの連結歯１４’、１５’を空洞部の開口部１２”に作用させて、ブロック化する。
【００１８】
別の製造形態では、第１レンズ１０は、鼻側に、連結要素２４（図２）を、端部面取部２８に続けて、その辺に沿って連結歯２９を有する舌形状で、有する。第２レンズ１１には連結要素２５を有し、該要素を、端部面取部３０及び歯３１を備えた同様な形状にして、第１レンズの連結要素２４の連結歯２９と相補的に係合させる。
【００１９】
他方、鼻ブリッジ１２を、その形状及び断面が該連結要素２４、２５と対応する空洞部２７'を有するブロック要素２７で構成する。従って、２枚のレンズを、両側から、夫々の連結要素２４、２５をブロック要素２７に次々と挿入することによって、互いに拘束でき、それにより、図３に示すように、該両レンズを相補的に連結させる。このようにして、ブロック要素によって、両レンズが分離するのを防ぎ、その結果確実にレンズを安定的に永久的に連結できる。
【００２０】
別の製造例、図４では、レンズ１０、１１には、鼻側で、連結要素３２、３３を備え、該要素の自由端を、例えば、嵌合し、嵌合時に自動的に位置が合うように、段差を付けた形状にする。この事例では、２枚のレンズの連結を、連結要素３２、３３を中空のブロック要素２７に、両端部が合致するまで、挿入して行うが、場合によっては、接着剤３４の層を配置して、図５で示すように、連結を安定させる。該接着剤の載置容量を向上させるために、連結要素の表面を、粗くする又は溝付にすることができる。
【００２１】
更に別の製造方法によれば、レンズ１０、１１（図６及び図７）には、少なくとも１側面に凹部又は切欠部３５’、３６’を有する連結要素３５、３６を、鼻側に備える。連結要素３５、３６を、上記凹部又は切欠部に沿うスロット３７’を有する中空のブロック要素３７に挿入する。その後、連結を、挿入する定着プレート３８に小歯３９を設けて、これらを該ブロック要素の該スロットに通して、上記凹部又は押圧切欠部と係合させ、及び／又は図７に示すように、接着剤の層と係合させて、安定させる。  
【００２２】
明らかに、本発明の目的から逸脱することなく、レンズを連結するために、説明した構成と比べて他の及び異なる構成を有する連結要素を、該連結要素をレンズと一体化させ、直接的又は間接的に、接着剤を使用する又は使用せずに、鼻ブリッジを構成する、又は鼻ブリッジとして機能する中間ブロック要素と係合させる限り、考え得る或は使用可能である。更に、連結要素を互いにブロック要素内側で結合させ、この結合を更にピンを該要素に交差するよう挿入して、安定させることができる。
【００２３】
更にまた、鼻ブリッジには、一体的に成型した鼻パッド、或は別々に製作し、如何なる方法で鼻ブリッジに取着した鼻パッドでも備えることができる。
【００２４】
各レンズの顳かみ側にある智部２６を、関連するアーム１３に、ピン４０を用いてヒンジ嵌合するよう成形し、該ピンを、智部とアーム両方のヒンジ結合部分に設けた整合孔に、圧入し保持する。
【００２５】
有利には、図８及び図９で示すように、及び図１及び図５の点線で示すように、各智部２６をヒンジ軸４０を越えて、延伸部４１で延在させて、アームを展開した際にアームの類似部分に対する支持体としての機能を果たすようにする。各智部の延伸部４１のアームを折畳む側には、アーム１３の外側に設けた歯頭部４３を嵌入させる凹部４２を設けることができる、或はそれとは対照的に、延伸部４１に歯頭部を設け、アームに該歯頭部に対面し、それと係合する凹部を備えることができる。
【００２６】
両事例とも、アーム１３を折畳み位置から展開位置に動かすと、アームをその各智部の延伸部４１で支止し、それにより歯頭部４２と凹部４３が互いに連結する。また智部とアームとが実質的に一体化し、それにより如何なる不適当な力がアームに印加されても、ヒンジ領域より一層耐性がある智部部分に掛かるようになる。
【００２７】
その上、注目すべきは、両レンズと連結するために提供し成形した鼻ブリッジ又はブロック要素、及びアームを、レンズと同じ、透明又は着色顔料を添加した材料製とすることができ、或は別の異なるプラスチック又は金属材料製とし、それにより異なるスタイルのメガネを提供することもできる。
【００２８】
いずれにせよ、レンズを適切に選択し、アーム及び鼻ブリッジを形成する要素の材料及び色について選択した後、個人個人に応じたメガネを、直接眼鏡屋が、簡単に手早く組立てて作製可能であり、その結果、極めて適合性があり、頑丈で、柔軟で、折畳み可能な、換言すれば、壊れ難いメガネとなる。
【図面の簡単な説明】
【００２９】
【図１】本発明の製作方法によるメガネの構成要素の分解立体図である。
【図１ａ】図１の一部詳細を、レンズと鼻ブリッジとの間の連結要素を示すために拡大して、示している。
【図１ｂ】図１ａの連結要素で、２枚のレンズを接合させたところを示す。
【図１ｃ】図１の構成要素から開始して組立てたメガネを示す。
【図２】レンズの連結要素の別の製造方法を示す。
【図３】図２の連結要素で２枚のレンズを連結した断面図である。
【図４】連結要素の更なる製作方法を示す。
【図５】図４の連結要素で、２枚のレンズを連結した断面図である。
【図６】連結要素の更に別の製作方法を示す。
【図７】図６の連結要素で、２枚のレンズを連結した断面図である。
【図８】アームとレンズの智部とを相互係合させる連結装置及び連結に関して、２つの角度から見た図を示す。
【図９】アームとレンズの智部とを相互係合させる連結装置及び連結に関して、２つの角度から見た図を示す。
【符号の説明】
【００３０】
１０                  第１レンズ
１１                  第２レンズ
１２’                盲空洞部
１２”                側開口部
１３                  アーム
１４                  ラグ
１４'                連結歯
１５                  ラグ
１５'                連結歯
２４                  連結要素
２５                  連結要素
２６                  智部
２７                  ブロック要素
２７'                空洞部
２８                  端部面取部
２９                  連結歯
３０                  端部面取部
３１                  歯
３２                  連結要素
３３                  連結要素
３４                  接着剤
３５                  連結要素
３５’                凹部又は切欠部
３６                  連結要素
３６’                凹部又は切欠部
３７’                スロット
３８                  定着プレート
３９                  小歯
４０                  ピン  
４１                  延伸部
４２                  凹部
４３                  歯頭部
【図１】
2009505150.tif 000003
【図１ａ】
2009505150.tif 000004
【図１ｂ】
2009505150.tif 000005
【図１ｃ】
2009505150.tif 000006
【図２】
2009505150.tif 000007
【図３】
2009505150.tif 000008
【図４】
2009505150.tif 000009
【図５】
2009505150.tif 000010
【図６】
2009505150.tif 000011
【図７】
2009505150.tif 000012
【図８】
2009505150.tif 000013
【図９】
2009505150.tif 000014
【国際調査報告】
2009505150.tif 000015
2009505150.tif 000016
2009505150.tif 000017